(57)【要約】      （修正有）【課題】ＥＧＰＲＳ-２アップリンク（ＨＵＧＥ）を用いた時間ベースのＦＡＮＲ｛fast positive ACK/NACK response｝動作の方法を提供する。【解決手段】ＷＴＲＵは、ダウンリンクＦＡＮＲ動作とＥＧＰＲＳ−２モードアップリンク伝送が競合しないように設定する。ＥＧＰＲＳ−２モードのＭＣＳ(modulation and coding scheme)を、最大限でも２つのＲＬＣデータブロックを含むＭＣＳに限定することができる。あるいは、ＥＧＰＲＳ−２モードが競合した場合、３つ以上のＰＡＮ｛piggybacked ACK/NACK｝ビットを、時間ベースのＦＡＮＲに対して使用することができる。あるいは、ＰＡＮビットは、ＲＬＣデータブロックのグループに対してＡＣＫ／ＮＡＣＫを表示することができる。時間ベースのＦＡＮＲ動作のＰＡＮビット数を、ネットワークによって設定することができる。【選択図】図３
2014042249.tif 000002
【特許請求の範囲】
【請求項１】
ＷＴＲＵ(wireless transmit/receive unit)により、時間ベースのＦＡＮＲ（fast positive ACK/NACK(acknowledgement/negative acknowledgement) response）動作を実行する方法であって、
複数のＲＬＣ(radio link control)データブロックを含む無線ブロックを伝送すること、および
ＰＡＮ（piggybacked ACK/NACK）フィールドを含む無線ブロックを受信することであって、前記ＰＡＮフィールドは、前記複数のＲＬＣデータブロックの復号状態を示し、可変長符号によって符号化されていること
を備えることを特徴とする方法。
【請求項２】
前記ＷＴＲＵは、第１のＴＴＩ(transmission time interval)における第１のビット数を含む第１のＰＡＮフィールド、および第２のＴＴＩにおける第２のビット数を含む第２のＰＡＮフィールドを受信することを特徴とする請求項１に記載の方法。
【請求項３】
前記第１のビット数は、前記第２のビット数とは異なることを特徴とする請求項２に記載の方法。
【発明の詳細な説明】
【技術分野】
【０００１】
本願は、無線通信に関する。
【背景技術】
【０００２】
ＧＳＭ(Global system for mobile communications)（登録商標） Ｒ７(Release7)は、伝送の遅延時間を減らすだけでなく、ＵＬ(uplink)およびＤＬ(downlink)におけるスループットを改善するいくつかの機能を導入している。
【０００３】
これらの中で、ＧＳＭＲ７は、ＥＧＰＲＳ−２(enhanced general packet radio services-2)を導入して、ＤＬおよびＵＬのスループットを改善する。ＤＬにおけるＥＧＰＲＳ−２のスループットの改善部分は、ＲＥＤＨＯＴ機能として知られ、ＵＬに対する改善部分は、ＨＵＧＥ機能として知られる。ＥＧＰＲＳ−２  ＤＬとＲＥＤＨＯＴは同義語である。同様に、ＥＧＰＲＳ−２  ＵＬとＨＵＧＥは同義語である。
【０００４】
ＧＭＳＫ(Gaussian minimum shift keying)に基づいた旧来のＥＧＰＲＳ(enhanced general packet radio service) ＭＣＳ(modulation and coding schemes)（ＭＣＳ−１からＭＣＳ−４まで）および８ＰＳＫ(8phase-shif keying)変調（ＭＣＳ−５からＭＣＳ−９まで）に加えて、ＥＧＰＲＳ−２  ＤＬは、ＱＰＳＫ(quadrature PSK)、１６ＱＡＭ(16quadrature amplitude modulation)および３２ＱＡＭ変調を使用する。スループットを改善する別の技法は、（畳み込み符号化をＥＧＰＲＳに用いるのとは対照的な）ターボ符号化の使用である。さらに、より高いシンボルレート（１．２×旧来のＥＧＰＲＳのシンボルレート）を、ＥＧＰＲＳ−２Ｂ  ＤＬ（またはＲＥＤＨＯＴ−Ｂ）およびＥＧＰＲＳ−２Ｂ  ＵＬ（またはＨＵＧＥ−Ｂ）に用いる動作は、別の改善部分である。
【０００５】
ＬＡＴＲＥＤ(Latency Reduction )は、ＧＥＲＡＮ(GSM/EDGE radio access network) リリース７（およびそれに勝るもの）によって提供される別の機能であり、伝送遅延を低減し、データのスループットを増大させ、より良いＱｏＳ(quality-of-service)を提供する。ＬＡＴＲＥＤ機能は、２つの技法から構成される。第１のＬＡＴＲＥＤ技法は、ＲＴＴＩ(reduced transmission time interval)動作モードある。第２のＬＡＴＲＥＤ技法は、ＦＡＮＲ（fast ACK/NACK(acknowledgement/non-acknowledgement) reporting）動作モードである。
【０００６】
ＲＴＴＩ機能とＦＡＮＲ機能の両方は、個別か、または互いに恊働して動作することができる。さらに、ＲＴＴＩ機能とＦＡＮＲ機能の両方を、ＥＧＰＲＳ変調・符号化スキームのＭＣＳ−１からＭＣＳ−９まで（ＦＡＮＲ動作モードを実行できないＭＣＳ−４およびＭＣＳ−９以外）と恊働し、または新規リリース７およびそれに勝るＥＧＰＲＳ−２変調・符号化スキームのＤＡＳ−５からＤＡＳ−１２まで、ＤＢＳ−５からＤＢＳ−１２まで、ＵＡＳ−７からＵＡＳ−１１まで、およびＵＢＳ−５からＵＢＳ−１２までと恊働して使用することができる。ＲＴＴＩとＦＡＮＲの両方の動作モードも、他に存在するリリース７ＧＥＲＡＮの進化機能、および（Ｅ）ＧＰＲＳパケット伝送に勝る他の機能、または、例えば、ＤＬＤＣ(Downlink Dual-Carrier)機能またはＤＡＲＰ(Downlink Advanced Receiver Performance)動作などに基づく方法で実行することができる。
【０００７】
リリース７ ＧＳＭ／ＧＰＲＳ／ＥＧＰＲＳ動作モード以前において、ＡＣＫ／ＮＡＣＫレポートは、通常、明示的なＲＬＣ(radio link control)／ＭＡＣ(medium access control)プロトコルメッセージで送信され、ＲＬＣ／ＭＡＣ制御ブロックとも呼ばれる。このような明示的なＲＬＣ／ＭＡＣプロトコルメッセージの例は、パケットダウンリンクＡＣＫ／ＮＡＣＫメッセージまたはパケットアップリンクＡＣＫ／ＮＡＣＫメッセージを含む。ＲＬＣ／ＭＡＣ制御ブロックは、ＴＢＦ(temporary block flow)と呼ばれる、或る無線リソースに対処する。
【０００８】
ＴＢＦは、移動局とネットワーク間の一時的な接続であり、単一方向のデータ転送をサポートする。移動局およびネットワークによってサポートされた場合、２つ以上のＴＢＦを移動局に割り当てることができる。ＴＢＦは、一時的であり、データ転送期間のみ維持される。それぞれのＴＢＦは、ネットワークによってＴＦＩ(temporary flow identity)に割り当てられる。ＴＦＩは、それぞれの方向に同時に生成されるＴＢＦの中で１つしかなく、移動局のアイデンティティの代わりにＲＬＣ／ＭＡＣ層内で使用される。例えば、ＧＰＲＳおよびＥＧＰＲＳ動作モードにおいて、目的とする受信機（すなわち、ＷＴＲＵ(wireless transmit/receive unit)またはネットワーク）が、受信された無線ブロックのアドレスを判定できるようにするために、同じＴＦＩは、特定のＴＢＦに属するすべてのＲＬＣ／ＭＡＣヘッダ内に含まれる。
【０００９】
すべてのＲＬＣ／ＭＡＣ制御ブロックの使用に伴う伝送の待ち時間を減らすために、ＧＳＭ／（Ｅ）ＧＰＲＳリリース７において別のＡＣＫ／ＮＡＣＫ動作モードが組み込まれており、ＦＡＮＲ動作モードと呼ばれる。或るＴＢＦに対するＡＣＫ／ＮＡＣＫレポートは、データを損失せずに、無線ブロックの符号化チャネルのデータ部分から多数のビットを削除することによって、ＲＬＣ／ＭＡＣデータブロック上に「ピギーバック」される。必要に応じてＲＬＣ／ＭＡＣデータブロックに挿入されて、無線ブロックの一部としてＡＣＫ／ＮＡＣＫレポートを伝達する、この新しいフィールドは、ＰＡＮ(piggybacked ACK/NACK)フィールドと呼ばれる。ＰＡＮの挿入は、実行可能であり、ＤＬ方向とＵＬ方向の両方に対して個別に設定することができる。ＰＡＮフィールドは、ＤＬにおいてＷＴＲＵに送信されたとき、ＵＬ方向においてＷＴＲＵによって以前に送信されたデータユニットまたはＰＤＵ(protocol data units)に対してＡＣＫまたはＮＡＣＫを伝達するが、逆の場合も同じである。無線ブロック内のＰＡＮフィールドの有無は、ＲＬＣ／ＭＡＣヘッダによって表示されるが、ビットまたはビットフィールドのいずれかの設定によって、またはＲＬＣ／ＭＡＣヘッダの種類によって決まる他のコードポイントを設定することによって表示されるため、無線ブロックの伝送のために選択されるＥＧＰＲＳ／ＥＧＰＲＳ−２変調・符号化スキームによって決まる。ＤＬ方向において、ＲＬＣ／ＭＡＣデータブロックのＰＡＮフィールドが、無線ブロック内のデータユニット（またはＰＤＵ）の目的とする受信機ではないＷＴＲＵに対処する場合がある。あるいは、無線ブロックのＰＡＮフィールドおよびデータユニット（またはＰＤＵ）を、同じＷＴＲＵに用いるようにさせる場合がある。ＤＬ方向とＵＬ方向の両方に対して、ＰＡＮフィールドが参照するＴＢＦは、たとえ受信機が同じ物理装置（ＷＴＲＵまたはネットワーク）であっても、無線ブロックのデータユニット（またはＰＤＵ）に対応するＴＢＦとは異なる場合がある。
【００１０】
ＰＡＮフィールド内のＡＣＫまたはＮＡＣＫを伝達する実ビットフィールドを、２つの異なるプロシージャ、すなわちＳＳＮ(starting sequence number)ベースの手法またはＴＢ(time-based)手法のうちのどちらかに従って、符号化することができる。ＳＳＮベースとＴＢの両方のＦＡＮＲ動作に対して、ＰＡＮフィールドは、原理において同じであるが、符号化の手法は異なる。
【００１１】
ＳＳＮベースのＡＣＫ／ＮＡＣＫモードが使用されたとき、ＰＡＮフィールドは、ＳＳＮ、およびＳＳＮから開始される一連のＲＬＣ／ＭＡＣデータブロックに関連するレポートを受けたビットマップを含む。ＰＡＮフィールドは、どのＢＳＮ(block sequence number)がビットマップに対応するかを示すことができるパラメータを含む。ＢＳＮは、すべてのＲＬＣデータブロック内に含まれる。
【００１２】
ＴＢ ＦＡＮＲに対して、ＰＡＮフィールドビットは、ビットの組が、所与の先行するＴＴＩ(transmission time interval)において所与のＰＤＣＨ(packet data channel)上で、１つか２つのＲＬＣデータブロックの復号状態を参照するビットマップのみを備える。ＴＢ ＡＣＫ／ＮＡＣＫモードは、特に、ＶｏＩＰ(voice over IP)などのリアルタイムサービスに適している。ＳＳＮへのＡＣＫ／ＮＡＣＫレポートを参照する代わりに、時間ベースのＡＣＫ／ＮＡＣＫモードが使用されたとき、ＡＣＫ／ＮＡＣＫレポートは、周知のまたは誘発されたタイミング関係によって与えられるように、ＵＬにおいて１またはそれ以上のＷＴＲＵにより送信され、以前に受信されたＲＬＣ／ＭＡＣデータブロックと、そのＷＴＲＵにより含められたＲＬＣ／ＭＡＣデータＰＤＵとを参照する。ＴＢ−ＰＡＮフィールドは、ネットワーク側で以前に受信されたＵＬ  ＲＬＣ／ＭＡＣブロックの受信に対するフィードバック情報を提供するビットマップを含む。ＰＡＮフィールド内のビットマップのサイズの関数として、以前に受信されたＲＬＣ／ＭＡＣブロックの或る数に応答できる。ＤＬにおいて受信されたとき、ＴＢ−ＰＡＮフィールドは、２つ以上のＷＴＲＵに関する情報を伝達することができる。どのＷＴＲＵも、ＵＬにおいてＲＬＣ／ＭＡＣブロックに送信したときにトラックを維持することができるため、ＷＴＲＵは、ＰＡＮビットマップのＡＣＫ／ＮＡＣＫ状態をそれ自身の伝送と明確に関連付ける（他のＷＴＲＵを無視する）ことができる。なぜなら、そのタイミング関係は、周知であり、決められているからである。
【００１３】
ＳＳＮベースのＦＡＮＲ方法を使用して、ダウンリンクＴＢＦに対してＡＣＫ／ＮＡＣＫを伝達する。しかしながら、アップリンクＴＢＦに対して、ＳＳＮベースか、またはＴＢのどちらかのＦＡＮＲ方法を使用してもよい。ＢＳＳ(base station subsystem)は、ＦＡＮＲが作動したとき、アップリンク伝送に応答するＦＡＮＲ ＡＣＫ／ＮＡＣＫモードを設定する。ＴＢ−ＦＡＮＲモードが設定されたとき、ＷＴＲＵによって使用中のすべてのアップリンクＴＢＦは、時間ベースのＡＣＫ／ＮＡＣＫモードで動作しなければならない。
【００１４】
ＦＡＮＲ動作モードと恊働したリリース７ ＧＳＭ／ＧＰＲＳ／ＥＧＰＲＳ動作モードにおいて、ビットマップのビットの組を使用して、１つまたは２つのＲＬＣデータブロック、またはＰＤＵを参照する。以下において、我々は、ＰＤＵを同義語として使用することができるが、ＲＬＣデータブロックとしてＲＬＣ／ＭＡＣデータブロック内に含まれるデータユニットを参照する。（２ビットを使用した）４つの異なるコードポイントは、現在、表１に示すように、現在の３ＧＰＰ(third generation partnership project)仕様書（ＴＳ４４．０６０ｖ．７．１０．９  ２００７−９−２５）に定義されている。
【００１５】
【表１】
2014042249.tif 000003
【００１６】
先行技術によって提供された４つの組み合わせすべてにおいて、応答できるＲＬＣデータブロックまたはＰＤＵの最大数は２である。これは、１ＴＴＩ当たり最大限でも２つのＲＬＣデータブロックしか有することができない、レガシーＥＧＰＲＳ(enhanced general packet radio services)と恊働するＦＡＮＲ動作に完全に適している。ＥＧＰＲＳにおいて、表２に示すように、ＭＣＳ(modulation and coding scheme)−１からＭＣＳ−６を使用するＲＬＣ／ＭＡＣブロックは、１つのＲＬＣデータブロックを含み、ＭＣＳ−７からＭＣＳ−９を使用するＲＬＣ／ＭＡＣブロックは、２つのＲＬＣデータブロックを含む。図１は、ＦＡＮＲが作動した、ＥＧＰＲＳデータ転送に対するＲＬＣ／ＭＡＣブロックを示す。ＲＬＣ／ＭＡＣブロックは、組み合わされたＲＬＣ／ＭＡＣヘッダ、１つまたは２つのＲＬＣデータブロック、および任意のＰＡＮフィールドを備える。
【００１７】
【表２】
2014042249.tif 000004
【００１８】
しかしながら、時間ベースのＦＡＮＲを用いた動作モードの現在の基準およびそのＰＡＮフィールドのペアワイズ・ビットマップ定義では、Ｒ７(Release 7)のＥＧＰＲＳ−２ＵＬ（またはＨＵＧＥ）機能と恊働して動作を行うことができない。図２は、ＥＧＰＲＳ−２データ転送に対するＲＬＣ／ＭＡＣブロックを示す。ＲＬＣ／ＭＡＣデータブロックは、組み合わされたＲＬＣ／ＭＡＣヘッダ、１つから４つまでのＲＬＣデータブロック、および、ＦＡＮＲが作動した場合に含まれる任意のＰＡＮフィールドを備える。同様に、Ｒ７(Release 7)のＥＧＰＲＳ−２ ＤＬ（またはＲＥＤＨＯＴ）機能は、２つ以上のＲＬＣデータブロックを含むＲＬＣ／ＭＡＣブロックを使用する。
【００１９】
表３に示すように、ＥＧＰＲＳ−２ＵＬレベルＡは、５つの新しいＭＣＳ（ＵＡＳ−７からＵＡＳ−１１まで）を導入する。ＵＡＳ−１０およびＵＡＳ−１１を使用するＲＬＣ／ＭＡＣブロックは、３つのＲＬＣデータブロックを含む。表４に示すように、ＥＧＰＲＳ−２ ＵＬレベルＢは、８つの新しいＭＣＳ（ＵＢＳ−５からＵＢＳ−１２まで）を導入する。ＵＢＳ−９およびＵＢＳ−１０を使用するＲＬＣ／ＭＡＣブロックは、３つのＲＬＣデータブロックを含み、ＵＢＳ−１１およびＵＢＳ−１２を使用するＲＬＣ／ＭＡＣデータブロックは、４つのＲＬＣデータブロックを含む。
【００２０】
【表３】
2014042249.tif 000005
【００２１】
【表４】
2014042249.tif 000006
【００２２】
ＥＧＰＲＳ−２ＵＬ（またはＨＵＧＥ）は、ＳＳＮベースのＦＡＮＲ動作と恊働して動作するように注意深く設計されている。現在の最新技術において、ＳＳＮベースのＡＣＫ／ＮＡＣＫモードは、ＥＧＰＲＳ−２ＵＬ（またはＨＵＧＥ）で動作することができるが、先行技術が、ＥＧＰＲＳがバーストしたときに限って使用するという仮定に基づいて設計しているため、時間ベースのＡＣＫ／ＮＡＣＫモードを、現在、ＥＧＰＲＳ−２伝送形式と恊働して用いることができない。従って、ＷＴＲＵが、ＤＬにおいて受信された、設定された時間ベースのＰＡＮフィールドを処理すると同時にＵＬにおいてＥＧＰＲＳ−２ＵＬ（またはＨＵＧＥ）伝送を使用するために提供される方法がまったく無い。同様に、ＷＴＲＵが、ＤＬにおいてＥＧＰＲＳ−２ＤＬ（またはＲＥＤＨＯＴ）伝送を使用するときに、ＴＢ−ＦＡＮＲモードを処理するために提供される方法がまったく無い。
【発明の概要】
【００２３】
ＥＧＰＲＳ−２アップリンク（またはＨＵＧＥ）を用いた時間ベースのＦＡＮＲ動作に対する方法および装置が開示される。ＷＴＲＵは、設定メッセージを受信して、ダウンリンクＦＡＮＲ動作とＥＧＰＲＳ−２モードのアップリンク伝送が互いに競合しないように設定する。時間ベースのダウンリンクＦＡＮＲ動作が設定された場合、アップリンク伝送に対するＥＧＰＲＳ−２ＵＬモードをブロックすることができる。アップリンク伝送に対してＥＧＰＲＳ−２モードが設定された場合、ＳＳＮベースのダウンリンクＦＡＮＲ動作を設定することができる。ＥＧＰＲＳ−２モードのアップリンク伝送と時間ベースのダウンリンクＦＡＮＲ動作の両方が、設定メッセージによって設定された場合、ＷＴＲＵは、エラー処理手順を開始することができる。ＥＧＰＲＳ−２モードのアップリンク伝送に対するＭＣＳを、最大限でも２つのＲＬＣデータブロックを含むＭＣＳに限定することができる。ＥＧＰＲＳ−２モードのアップリンク伝送が設定された場合、時間ベースのＦＡＮＲ動作に対して３以上のビットをＰＡＮフィールド内で使用することができる。あるいは、少なくとも１つのＰＡＮビットは、ＲＬＣデータブロックのグループに対してＡＣＫまたはＮＡＣＫを表示することができる。時間ベースのＦＡＮＲ動作のＰＡＮフィールドに対して使用されるビット数を、ネットワークによって設定することができる。設定メッセージに従って、時間ベースのＦＡＮＲ動作とＳＳＮベースのＦＡＮＲ動作間で、ダウンリンクＦＡＮＲ動作を動的に切り替えることができる。
【図面の簡単な説明】
【００２４】
添付図面とともに例として与えられた、以下の説明からより詳細な理解が得られる。
【図１】ＦＡＮＲが作動したＥＧＰＲＳデータ転送に対するＲＬＣ／ＭＡＣブロックを示す図である。
【図２】ＥＧＰＲＳ２のデータ転送に対するＲＬＣ／ＭＡＣブロックを示す図である。
【図３】ＷＴＲＵおよびＢＳＳの例を示す図である。
【発明を実施するための形態】
【００２５】
以下を参照する場合、専門用語「ＷＴＲＵ」は、ＵＥ(user equipment)、移動局、固定式または移動式加入者装置、ポケットベル、携帯電話機、ＰＤＡ(personal digital assistant)、コンピュータ、または無線環境において動作できる任意の他の種類のユーザデバイスを含むが、これに限定されない。以下を参照する場合、専門用語「基地局」は、ノードＢ、サイトコントローラ、ＡＰ(access point)、または無線環境において動作できる任意の他の種類のインタフェーシングデバイスを含むが、これに限定されない。
【００２６】
第１の実施形態に従って、ＷＴＲＵよって、時間ベースのＦＡＮＲ動作を、ＥＧＰＲＳ−２のアップリンク伝送と恊働して設定することができない。ＷＴＲＵが、競合割当（すなわち、時間ベースのＦＡＮＲ動作をダウンリンクにおいて実行するようにし、対応するアップリンク伝送においてＥＧＰＲＳ−２を使用する）の設定メッセージを受信したとき、ＷＴＲＵは、エラー条件を作成して、動作を停止またはエラー処理手順を実行する。
【００２７】
あるいは、ＷＴＲＵが、ＥＧＰＲＳ−２モードにおいて動作するアップリンク割当を受信する度に、ＷＴＲＵは、ダウンリンクＦＡＮＲが同時に設定された場合に、ＳＳＮベースのモードにおいてのみ動作することができると仮定する。一方、ダウンリンクにおいて時間ベースのＦＡＮＲ動作を設定した後、ＷＴＲＵは、ＷＴＲＵが、アップリンク伝送においてＥＧＰＲＳ−２モードを使用することができないと仮定する。
【００２８】
第２の実施形態に従って、時間ベースのＦＡＮＲ動作に対して現在のＰＡＮフィールドは変更されないが、同時に起こるＥＧＰＲＳ−２ＵＬ動作は、２つ以下のＲＬＣデータブロックを含むＭＣＳに限定される。例えば、ＥＧＰＲＳ−２ＵＬ  Ａ動作は、最大限でもＵＡＳ−９とＵＡＳ−１０とＵＡＳ−１１に限定され、それらは３つのＲＬＣデータブロックを含み、時間ベースのＦＡＮＲが作動する度にそれらを使用することができない。同様に、ＥＧＰＲＳ−２ＵＬ  Ｂ動作は、最大限でもＵＢＳ−８およびＵＢＳ−９からＵＢＳ−１１までに限定され、それぞれが１ＴＴＩ当たり３つまたは４つのＲＬＣデータブロックを含み、時間ベースのＦＡＮＲが作動する度にそれらを使用することができない。ＷＴＲＵが、ＥＧＰＲＳ−２モードにおいて動作するアップリンクアサイメントを受信する度に、ＷＴＲＵは、（レガシーＥＧＰＲＳの一部または新しく定義されたＭＣＳ）を動作する最大限のＭＣＳを仮定する。
【００２９】
第２の実施形態の１つの特殊な例は、ＭＣＳが、レガシーＥＧＰＲＳ ＭＣＳ（すなわち、ＥＧＰＲＳ−２ＵＬレベルＡに対してＭＣＳ−１からＭＣＳ−６まで、およびＥＧＰＲＳ−２ＵＬレベルＢに対してＭＣＳ−１からＭＣＳ−４まで）に限定され、時間ベースのＦＡＮＲがＷＴＲＵに対して作動されたときに、新しいＭＣＳ（すなわち、ＵＡＳ−ｘまたはＵＢＳ−ｘ）は使用されないことである。
【００３０】
第３の実施形態に従って、時間ベースのＦＡＮＲは、新しいＥＧＰＲＳ−２ＵＬレベルＡ  ＭＣＳまたはＥＧＰＲＳ−２ＵＬレベルＢ  ＭＣＳで動作でき、時間ベースのＰＡＮが、ＥＧＰＲＳ−２ＵＬレベルＡ、またはＥＧＰＲＳ−２ＵＬレベルＢを同時に使用するときに、付加的な例である、１ＴＴＩ当たり３つおよび／または４つのＲＬＣデータブロックに適応するように再定義される。１ＴＴＩ  １ＥＧＰＲＳ  ＰＤＣＨ（すなわち、タイムスロット）当たり２ビットを使用する代わりに、３以上のビットを、ＥＧＰＲＳ−２ＵＬ ＰＤＣＨの場合に使用する。
【００３１】
例えば、時間ベースのＰＡＮ動作が、ＥＧＰＲＳ−２ＵＬ  ＰＤＣＨにおいて３つのＲＬＣデータブロックの状態に応答するように拡張された場合、表４のコードポイントを使用することができる。表５は、例として提供されており、それと異なるコードポイントも再定義することができ、それを、１ＴＴＩ  １ＰＤＣＨ当たり４つのＲＬＣデータブロックの場合に拡張できることに留意されたい。
【００３２】
【表５】
2014042249.tif 000007
【００３３】
正確に定義された１ＴＴＩ  １ＰＤＣＨ当たりのＭビット数を使用する代わりに、ビットマップの圧縮および他の同等のマッピングルールによって、選択された一部の関連した例に対処することができる。例えば、ネットワークは、３つのＲＬＣ／ＭＡＣブロックのうち２つに応答することが十分であるものを判定でき、そのことは、ＶｏＩＰアプリケーションなどの、実時間アプリケーションにおいて証明され、パケット損失をより許容することができる。例示的な実現において、表５の隣り合ったコードポイントの組、すなわち、（０００と００１）、（０１０と０１１）、（１００と１０１）、（１１０と１１１）は、圧縮されたコードポイントセットの意味に適切に変更されたものを用いて組み合わすことができ、ネットワークによってＷＴＲＵに信号が送られる。
【００３４】
同様に、可変長符号化スキームを使用して、ＰＡＮフィールド内のコードポイントを、ヘッダ符号化の失敗、欠落または誤って復号されたＲＬＣデータブロックなどの、予想されるエラー発生率と関連付けることができる。
【００３５】
第４の実施形態に従って、時間ベースのＰＡＮフィールドの標準動作は変更されない（つまり、１ＴＴＩ当たり２ビットが使用される）が、現在定義された１コードポイント当たり１以上のＲＬＣ／ＭＡＣデータブロックを、肯定的または否定的に応答できる。
【００３６】
例えば、表１のコードポイント（１．０）は、現在、「正しく受信され、第１のＲＬＣデータブロックの復号を正しく行ったが、第２のＲＬＣデータブロックの復号に失敗したヘッダ」を表示している。第４の実施形態に従って、コードポイント（１．０）は、例えば、ＥＧＰＲＳ−２ＵＬレベルＢのような４つのＲＬＣデータブロックの場合、「正しく受信され、第１および第２のＲＬＣデータブロックの復号を正しく行ったが、第３の、または第４のどちらかのＲＬＣデータブロックの復号に失敗したヘッダ」を表示することができる。つまり、コードポイントのそれぞれのビットは、以前のＴＴＩにおいて送信されたＲＬＣデータブロックの数によって決まる、１つか、または２つのどちらかのＲＬＣデータブロックを参照するので、ＥＧＰＲＳまたはＥＧＰＲＳ−２伝送モードの関数として使用される。例えば、以前のＴＴＩにおいて３つのＲＬＣデータブロックが送信された場合、コードポイントの第１のビットは、第１および第２のＲＬＣデータブロックを参照することができ、コードポイントの第２のビットは、第３のＲＬＣデータブロックを参照することができる。同様に、以前のＴＴＩにおいて４つのＲＬＣデータブロックが送信された場合、コードポイントの第１のビットは、第１および第２のＲＬＣデータブロックを参照することができ、コードポイントの第２のビットは、第３および第４のＲＬＣデータブロックを参照することができる。いずれにせよ、コードポイントの或るビットが、複数のＲＬＣデータブロックを参照する場合、この特定のコードポイントビットの値（１または０となる）は、両方のＲＬＣ無線ブロックが（ビット値１で）正しく受信された、または両方のＲＬＣ無線ブロックが（ビット値０で）誤って受信されたことを示す。
【００３７】
ＢＳＳは、ダウンリンクにおいてこの情報をいかに最適にレポートするかについての知的判定を行う。例えば、ＴＴＩにおいて無線ブロックのうち１つが、正しく受信されて、その他が誤って受信された場合、ＢＳＳは、両方のＲＬＣデータブロックを、正しくまたは誤って受信されたものと判定してレポートしてもよい。なぜなら、このレポートに対して１ビットしか利用できないためである。両方が正しく受信されたとレポートすることは、ＢＳＳにおいてデータの劣化をもたらす（その場合、ＢＳＳは、データの劣化を許容できると判定する）のに対して、両方が誤って受信されたとレポートすることは、冗長な再伝送の数を増加させるであろう。
【００３８】
第５の実施形態に従って、時間ベースのＦＡＮＲ  ＰＡＮフィールドは、ＢＳＳが、１ＴＴＩ当たりのＲＬＣデータブロックの最大数に対して復号させるようにＷＴＲＵを設定する（従って、使用することができる最大数のＥＧＰＲＳ−２ＵＬ ＭＣＳに限定する）などの、柔軟な方法で動作するが、応答できるＴＴＩ／タイムスロットの組み合わせの数においてトレードオフする。それぞれのＷＴＲＵを、異なって設定してもよい。
【００３９】
１伝送当たり３つまたは４つのＲＬＣ  ＰＤＵを含むことを記述したコードポイントの数を増加させることは、応答できる１ＴＴＩ当たりのＰＤＣＨの数および以前のＴＴＩの数を減らす。例えば、１ＲＬＣ／ＭＡＣブロック当たりのＲＬＣデータブロックの最大数を２に限定する、１ＴＴＩ当たり２ビットを用いて、２０ビットＰＡＮフィールドは、ＷＲＴＵによって１ＴＴＩ当たり１タイムスロットを使用するとき、以前のＴＴＩを１０まで応答でき、またはＷＲＴＵによって１ＴＴＩ当たり２タイムスロットを使用するとき、以前のＴＴＩを５まで応答できるなどがある。しかしながら、１ＲＬＣ／ＭＡＣブロック当たり３つまでのＲＬＣデータブロックを含む、新しいＥＧＰＲＳ−２ＵＬ ＭＣＳに対する伝送状態を表示するのに１ＴＴＩ当たり３ビットが必要な場合、２０ビットＰＡＮフィールドは、１ＴＴＩ当たり１タイムスロットが使用される場合に以前のＴＴＩを６までしか応答することができない、または１ＴＴＩ当たり２タイムスロットが使用される場合に以前のＴＴＩを３までしか応答することができないなどがある。
【００４０】
第５の実施形態に従って、ＢＳＳは、時間ベースのＦＡＮＲ動作が、（設定メッセージのタイムスロットビットマップに与えられるように）或るアップリンクタイムスロットに対して実現できることをＷＲＴＵに信号で伝えて、そしてＰＡＮ設定において、１ＴＴＩ  １ＰＤＣＨ当たり２ビットが保存される。従って、ＷＲＴＵは、１ＴＴＩ当たり２つ以上のＲＬＣデータブロックを含むＵＡＳ−１０またはＵＡＳ−１１（またはＵＢＳ−９からＵＢＳ−１１まで）を使用することができない。一方、１フレーム当たり単一のタイムスロットを使用する以前のＴＴＩを１０まで、または１フレーム当たり２つのタイムスロットを使用する以前のＴＴＩを５まで応答できる。あるいは、ＢＳＳは、ＰＡＮフィールドが１ＴＴＩ  １ＰＤＣＨ当たり３ビットを使用することを判定してＷＲＴＵに信号で伝えることができる。従って、ＷＲＴＵは、（全部で３つ以上のＲＬＣデータブロックを含むことができない）すべてのＥＧＰＲＳ−２ＵＬレベルＡ ＭＣＳを使用することができるが、ＥＧＰＲＳ−２ＵＬレベルＢを用いたＵＢＳ−１１またはＵＢＳ−１２（両方とも４つのＲＬＣ無線ブロックを含む）を使用することができない。しかしながら、以前のＴＴＩ／タイムスロットのより小さい数を、ＢＳＳによって応答できる。ＢＳＳは、時間ベースのＰＡＮフィールドが、１ＴＴＩ  １ＰＤＣＨ当たり４ビットを使用して動作することをＷＲＴＵに信号で伝えることによって、ＷＲＴＵが、すべてのＥＧＰＲＳ−２ＵＬレベルＡ  ＭＣＳおよびＥＧＰＲＳ−２ＵＬレベルＢ  ＭＣＳを使用できるようにする。
【００４１】
第６の実施形態に従って、ＢＳＳは、最初のＴＳＦアサイメントの後に、ＷＴＲＵに、時間ベースモードとＳＮＮベースモード間でモードを変更するように命令する。ＴＢＦ再アサイメントまたはＴＢＦ変更メッセージによって、これを達成することができる。ＢＳＳは、通信路条件、ネットワークでの読み込みなどを含む任意の基準に基づいて、変更を行う決定ができるが、これに限定されない。時間ベースのＦＡＮＲスキームとＳＮＮベースのＦＡＮＲスキームが、それら自身の利点および不利点を有している理由から、或る基準に基づいてそれらの応答モードを動的に切り替えることによって、性能を最適化することができる。
【００４２】
第７の実施形態に従って、ＴＦＩ専用の時間ベースのＦＡＮＲスキームが実装される。現在の３ＧＰＰ仕様において、時間ベースのＰＡＮフィールドは、ＴＢＦアイデンティティを含まない。このスキームは、ＡＣＫ／ＮＡＣＫビットマップの構築に対してマッピングルールを厳格にしなければならないという不利を有する。例えば、１ＴＴＩ当たりの無線ブロックの数が４に増加するにつれて、ビットマップを４ビットのブロックに区分しなければならないので、マッピングはますます効率が悪くなる。
【００４３】
時間ベースのＰＡＮフィールドに対処するＴＢＦは、ＴＦＩによって識別される。ＴＦＩを、多くの異なる方法で、明示的または非明示的に表示することができる。例えば、ＰＡＮフィールドビットのＣＲＣビットまたはすべてのペイロードを用いて、ＴＦＩをマスクすることができる。このようなＴＢＦ専用の時間ベースのＰＡＮフィールドは、ビットマップが、１ビット、２ビット、３ビット、４ビットのグループを備えることができ、それぞれのグループが、１タイムスロット（すなわち、異なるＭＣＳスキーム）当たり、１無線ブロックのＡＣＫ／ＮＡＣＫビット、２無線ブロックのＡＣＫ／ＮＡＣＫビット、３無線ブロックのＡＣＫ／ＮＡＣＫビット、４無線ブロックのＡＣＫ／ＮＡＣＫビットを表すという利点を有する。
【００４４】
上記に開示された実施形態は、リリース８におけるＥＧＰＲＳ−２ＵＬレベルＣに適用できる。
【００４５】
図３に、例示的なＷＴＲＵ１００およびＢＳＳ２００を示す。ＷＴＲＵ１００は、トランシーバ１０２、コントローラ１０４およびＰＡＮプロセッサ１０６を含む。コントローラ１０４は、ダウンリンクＦＡＮＲ動作およびＥＧＰＲＳ−２モードアップリンク伝送に対する設定メッセージを受信するように構成され、ダウンリンクＦＡＮＲ動作およびＥＧＰＲＳ−２モードアップリンク伝送を設定して、上記に開示したように、時間ベースのダウンリンクＦＡＮＲ動作とＥＧＰＲＳ−２モードアップリンク伝送が競合しないようにすることができる。ＰＡＮプロセッサ１０６は、送受信のためのＰＡＮフィールドを処理する。
【００４６】
コントローラ１０４は、時間ベースのダウンリンクＦＡＮＲ動作が設定された場合、アップリンク伝送に対するＥＧＰＲＳ−２モードをブロックすることができる。コントローラ１０４は、アップリンク伝送に対してＥＧＰＲＳ−２モードが設定された場合、ＳＳＮベースのダウンリンクＦＡＮＲ動作を設定することができる。コントローラ１０４は、ＥＧＰＲＳ−２モードアップリンク伝送と時間ベースのダウンリンクＦＡＮＲ動作の両方が、設定メッセージによって設定された場合、エラー処理手順を開始することができる。
【００４７】
コントローラ１０４は、ＥＧＰＲＳ−２モードアップリンク伝送に対するＭＣＳを、最大限でも２つのＲＬＣデータブロックを含むＭＣＳに限定することができる。コントローラ１０４は、ＥＧＰＲＳ−２モードアップリンク伝送が設定された場合、時間ベースのダウンリンクＦＡＮＲを設定して、少なくとも３ビットを、時間ベースのダウンリンクＦＡＮＲ動作のＰＡＮフィールドに対して使用できるようにする。コントローラ１０４は、時間ベースのＦＡＮＲ動作のＰＡＮフィールドに対して２ビットを使用し、少なくとも１つのＰＡＮビットを設定して、ＲＬＣ／ＭＡＣデータブロックのグループに対して、ＡＣＫまたはＮＡＣＫを表示することができる。設定メッセージは、時間ベースのＦＡＮＲ動作のＰＡＮフィールドに対して使用される多数のビットを表示することができる。コントローラ１０４は、ネットワークから受信された設定メッセージに従って、時間ベースのＦＡＮＲ動作とＳＳＮベースのＦＡＮＲ動作との間で、ダウンリンクＦＡＮＲ動作を動的に切り替えることができる。コントローラ１０４は、ＰＡＮに対処するＴＢＦを表示するＴＦＩを、ＲＬＣ／ＭＡＣブロック内に組み込むことができる。
【００４８】
ＢＳＳ２００は、トランシーバ２０２とコントローラ２０４を含む。トランシーバ２０２は、ＲＬＣ／ＭＡＣブロックをＷＴＲＵ１００に送信したり、ＷＴＲＵ１００からＲＬＣ／ＭＡＣブロックを受信したりする。コントローラ２０４は、ダウンリンクＦＡＮＲ動作を設定する。
【００４９】
（実施形態）
１、エンハンスト・ジェネラル・パケット・ラジオ・サービス２アップリンクを用いた時間ベースのＦＡＮＲ動作の方法。
２、ダウンリンクＦＡＮＲ動作およびＥＧＰＲＳ−２モードアップリンク伝送の設定メッセージを受信することを備える実施形態１における方法。
３、ダウンリンクＦＡＮＲ動作およびＥＧＰＲＳ−２モードアップリンク伝送を設定して、時間ベースのダウンリンクＦＡＮＲ動作と前記ＥＧＰＲＳ−２モードアップリンク伝送が互いに競合しないように構成することを備える実施形態２における方法。
４、前記時間ベースのダウンリンクＦＡＮＲ動作が設定された場合、アップリンク伝送に対する前記ＥＧＰＲＳ−２モードがブロックされる実施形態２乃至３のいずれかにおける方法。
５、アップリンク伝送に対する前記ＥＧＰＲＳ−２モードが設定された場合、ＳＮＮ(starting sequence number)ベースのダウンリンクＦＡＮＲ動作が設定される実施形態２乃至４のいずれかにおける方法。
６、ＥＧＰＲＳ−２モードアップリンク伝送と時間ベースのダウンリンクＦＡＮＲ動作の両方が、前記設定メッセージによって設定された場合、エラー処理手順を開始することをさらに備える実施形態２乃至５のいずれかにおける方法。
７、前記ＥＧＰＲＳ−２モードアップリンク伝送に対するＭＣＳは、最大限でも２つのＲＬＣデータブロックを含むＭＣＳに限定される実施形態２乃至６のいずれかにおける方法。
８、ＥＧＰＲＳ−２モードアップリンク伝送が設定された場合、特定のフィードバック情報に対して、２ビット以上が、時間ベースのＦＡＮＲ動作のＰＡＮフィールドに対して使用される実施形態２乃至７のいずれかにおける方法。
９、少なくとも１つのＰＡＮビットは、ＲＬＣデータブロックのグループに対してＡＣＫまたはＮＡＣＫを表示する実施形態２乃至８のいずれかにおける方法。
１０、前記設定メッセージは、時間ベースのＦＡＮＲ動作のＰＡＮフィールドに対して使用されるビット数を表示する実施形態２乃至９のいずれかにおける方法。
１１、前記設定メッセージに従って、時間ベースのＦＡＮＲ動作とＳＳＮベースのＦＡＮＲ動作間で、前記ダウンリンクＦＡＮＲ動作を動的に切り替える実施形態２乃至１０のいずれかにおける方法。
１２、前記ＰＡＮに対処するＴＢＦを表示するＴＦＩを、ＲＬＣ／ＭＡＣブロック内に組み込む実施形態２乃至１１のいずれかにおける方法。
１３、エンハンスト・ジェネラル・パケット・ラジオ・サービス２アップリンクを用いた時間ベースのＦＡＮＲ動作を実行するように設定されたＷＴＲＵ。
１４、トランシーバを備える実施形態１３におけるＷＴＲＵ。
１５、送受信のためのＰＡＮフィールドを処理するように構成されるＰＡＮプロセッサを備える実施形態１４におけるＷＴＲＵ。
１６、時間ベースのダウンリンクＦＡＮＲ動作と前記ＥＧＰＲＳ−２モードアップリンク伝送が競合しないようにできる設定メッセージに基づいて、ダウンリンクＦＡＮＲ動作およびＥＧＰＲＳ−２モードアップリンク伝送を設定するように構成されるコントローラを備える実施形態１５におけるＷＴＲＵ。
１７、時間ベースのダウンリンクＦＡＮＲ動作が設定された場合、前記コントローラは、アップリンク伝送の前記ＥＧＰＲＳ−２モードをブロックするように構成される実施形態１６におけるＷＴＲＵ。
１８、アップリンク伝送に対するＥＧＰＲＳ−２モードが設定された場合、前記コントローラは、ＳＳＮベースのダウンリンクＦＡＮＲ動作を設定するように構成される実施形態１６乃至１７のいずれかにおけるＷＴＲＵ。
１９、ＥＧＰＲＳ−２モードアップリンク伝送と時間ベースのダウンリンクＦＡＮＲ動作の両方が前記設定メッセージによって設定された場合、前記コントローラは、エラー処理手順を開始するように構成される実施形態１６乃至１８のいずれかにおけるＷＴＲＵ。
２０、前記コントローラは、前記ＥＧＰＲＳ−２モードアップリンク伝送に対するＭＣＳを、最大限でも２つのＲＬＣデータブロックを含むＭＣＳに限定するように構成される実施形態１６乃至１９のいずれかにおけるＷＴＲＵ。
２１、前記コントローラは、時間ベースのダウンリンクＦＡＮＲを設定するように構成され、ＥＧＰＲＳ−２モードアップリンク伝送が設定された場合、特定のフィードバック情報に対して、２ビット以上が、前記時間ベースのダウンリンクＦＡＮＲ動作のＰＡＮフィールドに対して使用される実施形態１６乃至２０のいずれかにおけるＷＴＲＵ。
２２、前記コントローラは、ＲＬＣデータブロックのグループに対してＡＣＫまたはＮＡＣＫを表示するために、少なくとも１つのＰＡＮビットを設定するように構成される実施形態１６乃至２１のいずれかにおけるＷＴＲＵ。
２３、前記設定メッセージは、時間ベースのＦＡＮＲ動作のＰＡＮフィールドに対して使用されるビット数を表示する実施形態１６乃至２２のいずれかにおけるＷＴＲＵ。
２４、前記コントローラは、前記設定メッセージに従って、時間ベースのＦＡＮＲ動作とＳＳＮベースのＦＡＮＲ動作との間で、前記ダウンリンクＦＡＮＲ動作を動的に切り替えるように構成される実施形態１６乃至２３のいずれかにおけるＷＴＲＵ。
２５、前記コントローラは、前記ＰＡＮに対処するＴＢＦを表示するＴＦＩを、ＲＬＣ／ＭＡＣブロック内に組み込むように構成される実施形態１６乃至２４のいずれかにおけるＷＴＲＵ。
【００５０】
特徴および要素は、特定の組み合わせにおいて上記に説明されるが、それぞれの特徴および要素を、他の特徴および要素を用いずに単独で、または他の特徴および要素の有無にかかわらずさまざまな組み合わせにおいて使用することができる。本明細書に与えられた方法またはフローチャートを、コンピュータプログラム、ソフトウェア、または汎用コンピュータまたはプロセッサによって実行されるコンピュータ読み取り可能記憶媒体に組み込まれるファームウェアに実装できる。コンピュータ読み取り可能記憶媒体の例は、ＲＯＭ(read only memory)、ＲＡＭ(random access memory)、レジスタ、キャッシュメモリ、半導体メモリデバイス、内部ハードディスクおよび取り外し可能なディスクなどの磁気媒体、磁気光媒体、ＣＤ−ＲＯＭおよびＤＶＤ(digital versatile disk)などの光媒体を含む。
【００５１】
適応するプロセッサは、一例として、汎用プロセッサ、専用プロセッサ、標準プロセッサ、ＤＳＰ(digital signal processor)、複数のマイクロプロセッサ、ＤＳＰコア内蔵の１または複数のマイクロプロセッサ、コントローラ、マイクロコントローラ、ＡＳＩＣ(Application Specific Integrated Circuit)、ＦＰＧＡ(Field Programmable Gate Array)回路、任意の他の種類のＩＣ(integrated circuit)、および／またはステートマシンを含む。
【００５２】
ソフトウェア内蔵のプロセッサを使用して、ＷＴＲＵ(wireless transmit receive unit)、ＵＥ(user equipment)、端末機、基地局、ＲＮＣ(radio network controller)、または任意のホストコンピュータ内で使用するための無線周波数トランシーバを実装することができる。ＷＴＲＵは、モジュールと恊働して使用し、カメラ、ビデオカメラモジュール、ビデオ電話、スピーカフォン、振動装置、スピーカ、マイクロフォン、テレビ、ハンズフリーヘッドセット、キーボード、Ｂｌｕｅｔｏｏｔｈ（登録商標）モジュール、ＦＭ(frequency modulated)ラジオ装置、ＬＣＤ(liquid crystal display)ディスプレイ装置、ＯＬＥＤ(organic light-emitting diode)ディスプレイ装置、デジタル音楽プレーヤ、メディアプレーヤ、ビデオゲームプレーヤモジュール、インターネットブラウザ、および／または任意のＷＬＡＮ(wireless local network)またはＵＷＢ(Ultra Wide Band)モジュールなどのハードウェアおよび／またはソフトウェアに実装することができる。
【図１】
2014042249.tif 000008
【図２】
2014042249.tif 000009
【図３】
2014042249.tif 000010